(57)【特許請求の範囲】
【請求項１】
金属ろ材を内設した多数のろ過ボックス（１…）を無端状のコンベヤーチエーン（２）に連結して周回させると共に、ろ過ボックス（１）を水平状に配設したろ過ゾーンの下面にサクションボックス（１３）を対設した真空脱水機において、原液供給管（７）とケーキ洗浄管（８）が併設してあり、ろ過ボックス（１）がろ過ゾーンの所定の位置に停止し、前記ろ過ボックス（１）の停止を検知する信号により原液を原液供給管（７）からろ過ボックス（１）に供給し、前記ろ過ボックス（１）の停止信号を検知してから所定時間後に、ケーキ洗浄供給管（８）からろ過ボックス（１）に散水することを特徴とする水平真空脱水機。
【請求項２】
上記コンベヤーチエーン（２）を間歇走行させると共に、ろ過ボックス（１）の下面に磁性体（１７）と、サクションボックス（１３）の上面に電磁石（１９）をそれぞれ配設し、コンベヤーチエーン（２）の走行停止時に、サクションボックス（１３）の電磁石（１９）に通電して、サクションボックス（１３）をろ過ボックス（１）に吸着させることを特徴とする請求項１記載の水平真空脱水機。
【請求項３】
上記ろ過ボックス（１）の反転走行位置のメタルスクリーン（６）にろ材洗浄管（２５）を対設したことを特徴とする請求項１記載の水平真空脱水機。
【発明の詳細な説明】
【０００１】
【発明の属する技術分野】
この発明は、金属ろ材を用いた水平真空脱水機に関し、特に、精密ろ過を可能とし、真空吸引をする時に気密性を向上させた水平真空脱水機の改良に関する。
【０００２】
【従来の技術】
従来、所定位置に固定された真空箱の上面に間歇的に走行する無端ろ布を設け、ろ布上に供給した原液を真空吸引して固液分離を行ない、分離したケーキの洗浄を行なって脱水する装置は、例えば、特開平４−５９００５号公報に記載してあるように公知である。そして、金属ろ材を張設した多数のろ過箱を無端状の駆動帯に連結し、ろ過ゾーンのろ過箱にサクションボックスを同調させて移動させながらろ過箱に供給した原液の固液分離を行なう水平真空脱水機は、例えば、実用新案登録第２５６５８６０号公報に記載してあるように、本願発明の出願人が提案している。
【０００３】
【発明が解決しようとする課題】
然しながら、上記従来のろ材としてろ布を用いるものにあっては、目詰まりしたろ布からケーキの取除きが難しく、目詰りして変形したろ布は当初の形状に復帰させることが困難であり、しわ寄りの原因となっていた。また、水平真空脱水機のろ過箱に金属ろ材を張設した装置にあっては、ケーキの剥離性が良いものであるが、化学製品等の粒径の細かい粒子を含む原液にあっては、粒子が金属ろ材のスクリーンの目から抜けて有効成分の回収率が悪く、しかも、スクリーンの洗浄時に高圧をかけると破損する恐れもあった。この発明は、ろ材を組合せてスクリーンの目を細かくして強度と剥離性のあるろ材とし、同時に真空吸引時の気密性を向上させた水平真空脱水機装置を提供するものである。
【０００４】
【課題を解決するための手段】
この発明は、従来の課題を解決するものであって、その要旨とするところは、金属ろ材を内設した多数のろ過ボックスを無端状のコンベヤーチエーンに連結して周回させると共に、ろ過ボックスを水平状に配設したろ過ゾーンの下面にサクションボックスを対設した真空脱水機において、コンベヤーチエーンを間歇走行させると共に、ろ過ボックスの下面に磁性体と、サクションボックスの上面に電磁石をそれぞれ配設し、コンベヤーチエーンの走行停止時に、サクションボックスの電磁石に通電して、ろ過ボックスにサクションボックスを吸着させるもので、真空吸引時の気密性が保たれて真空吸引の真空度が上がり、低含水率のケーキの生成と、有効成分の分離回収効率が向上するものである。また、ろ過ボックスの反転走行位置のメタルスクリーンにろ材洗浄管を対設したので、下方から剥離性の良いメタルスクリーンに洗浄水を噴射して、スクリーンの目に付着する目詰まり物を洗い流すことができるものである。
【０００５】
【発明の実施の形態】
この発明に係る水平真空脱水機は上記のように構成してあり、走行するろ過ボックスをセンサーで検知してろ過ゾーンの所定の走行停止位置に停止させ、ろ過ボックスの停止信号によりサクションボックスの電磁石に通電して電磁力を励磁させ、ろ過ボックスをサクションボックスに吸着させて真空源に連通すると、電磁力の吸着力と真空吸着力により、さらにサクションボックスとろ過ボックスが密着する。同時に、停止信号によりろ過ボックスに張設したメタルスクリーン上に原液が供給され、サクションボックスから真空吸引されてろ過ボックスのろ過室にろ液を吸引する。設定時間後に脱水したケーキに洗浄液を散布してケーキ中に含まれる可溶解成分を分離してさらに吸引脱水が行なわれる。
【０００６】
所定の時間後に真空破壊と同時に、サクションボックスの電磁石への通電を停止させ、サクションボックスに吸着されたろ過ボックスを解離する。次に、コンベヤーチエーンを走行させて、次の複数個のろ過ボックスをろ過ゾーンの所定の走行停止位置にセンサーで検知して停止させる。ろ過脱水を終ったろ過ボックスは間歇走行を行ないながら、反転走行してケーキをメタルスクリーンから剥離させた後、ろ過ボックスが反転して走行する位置のメタルスクリーンに高圧水を噴射してメタルスクリーンから目詰り物を洗い流す。引続き間歇走行させながら再びろ過ゾーンで吸引ボックスをサクションボックスに吸着させ、以降このサイクルを繰り返し、間歇的に固液分離を行なうものである。
【０００７】
【実施例】
この発明に係る実施例を図面に基づき詳述すると、先ず、図１及び図２において、符号１はろ過ボックスであって、図３に示すろ過ボックス１がコンベヤーチエーン２に多数連結してあり、コンベヤーチエーン２が前後の駆動用スプロケット３と従動用スプロケット４に無端状に掛け回されて、駆動用スプロケット３に連結した駆動機（図示せず）でコンベヤーチエーン２を回動させてろ過ボックス１を移動させるようにしてある。そして、移動する複数のろ過ボックス１がろ過ゾーンの所定の位置に到達したことをセンサー（図示せず）で検知してコンベヤーチエーン２の回動を所定時間停止さるようにしてある。
【０００８】
図４に示すように、ろ過ボックス１にはウエッジワイヤー５が配設してあり、ウエッジワイヤー５の楔状の拡開された先端部をろ過ボックス１のろ過室１ａ側とし、そのウエッジワイヤー５のスリット面を表面層としてメタルスクリーン６が張設してある。ウエッジワイヤー５の表面に張設したメタルスクリーン６は、図５に示すように、ウエッジワイヤー５のスリットの上面に荒目スクリーン６ａが敷設してあり、その上部の中間層に中目スクリーン６ｂを介装して、表面層に細目スクリーン６ｃを張設してあり、複数のメタルスクリーン６を組合せることによりスクリーンの目が細かくなり、ろ材が補強されるものである。そして、スクリーンの目は上面層ほど細かい目のスクリーンとしてあるのでろ液の排出が良好となるものである。なお、ウエッジワイヤー５に敷設する荒目スクリーン６ａを中目スクリーン６ｂとしても、或は、中間層の中目スクリーン６ｂを細目スクリーン６ｃとしてもよいものであり、ろ過対象原液の性状と必要とするろ液の清澄性によりその構成を決定できるものである。
【０００９】
コンベヤーチエーン２の水平状に走行させるろ過ゾーンの上方には、図１に示すように、原液供給管７とケーキ洗浄供給管８が並設してあり、ろ過ボックス１がろ過ゾーンの所定の位置に停止した検知信号で、原液槽９の原液を原液供給ポンプ１０で移送して、原液供給管７からろ過ボックス１に所定量の原液を供給するようにしてある。また、停止信号から所定時間後に洗浄水槽１１の清水をケーキ洗浄ポンプ１２で移送して、ケーキ洗浄供給管８からろ過ボックス１のろ液を分離したケーキに散水して有効成分や不用な成分等を取出すようにしてある。ろ過ボックス１の下方には、サクションボックス１３が接近させて配設してあり、このサクションボックス１３のろ液管１４がレシーバータンク１５を介して真空ポンプ１６に連結してある。
【００１０】
図４に示すように、ろ過ボックス１のろ過室１ａの底部に連通管１ｃが連結してあり、連通管１ｃの下端部に磁性体１７が貼着してある。そして、サクションボックス１３の上部に連結した真空吸引管１８の先端部に電磁石１９が設けてあり、この電磁石１９がろ過ボックス１の回動軌跡に沿って移動する磁性体１７に接近させて配設してある。この電磁石１９は、図６に示すように、電源２０に接続した回路２１が設けてあり、ろ過ボックス１の停止を検知すると同時に回路２１のスイッチ２２を入れてサクションボックス１３の電磁石１９に通電して電磁力を励磁させるようにしてある。そして、一定時間継続してサクションボックス１３を吸引し、ケーキ洗浄が完了してさらにケーキを脱水した後、大気に開放するようにしてある。再び、次のろ過ボックス１…をろ過ゾーンに移動させるようにしてある。なお、サクションボックス１３の底部に昇降シリンダー（図示せず）を設け、ろ過ボックス１の移動時にはサクションボックス１３を降下させるようにしてもよいものである。
【００１１】
ろ過ボックス１の走行反転位置にケーキシュート２４が設けてあり、ろ過ボックス１が反転する時にメタルスクリーン６から排出されたケーキをケーキシュート２４で受け止めるようにしてある。ろ過ボックス１が反転して走行する位置の下方にろ材洗浄管２５が対設してあり、洗浄水槽２６からろ材洗浄ポンプ２７で吸引した洗浄水を走行反転位置のろ過ボックス１のメタルスクリーン６に噴射させ、メタルスクリーン６の目詰まりを解消させるようにしてある。この洗浄はろ過ボックス１を移動させながら洗浄しても、あるいは、ろ過ゾーンに位置するろ過ボックス１のろ過脱水中に、ろ過ボックス１が反転して停止している間にメタルスクリーン６を洗浄してもよいものである。そして、ろ材洗浄管２５は一個所でもよいが、複数個所に設けて異なる洗浄液を噴射してもよいものである。
【００１２】
【発明の効果】
以上のように、この発明の水平真空ろ過機は、ろ過ボックスとサクションボックスを磁性体の吸着力と真空吸着力により密着させるので、真空度の気密性が向上し、含水率の低いケーキが得られるものである。
【図面の簡単な説明】
【図１】  この発明に係る水平真空脱水機の概略側面図である。
【図２】  この発明に係る水平真空脱水機の要部側面図である。
【図３】  同じく、コンベヤーチエーンに連結したろ過ボックスの側面図である。
【図４】  この発明に係るろ過ボックスとサクションボックスを取出して示す縦断正面図である。
【図５】  同じく、ウエッジワイヤーに重設するメタルスクリーンの張設状態を示す概念図である。
【図６】  同じく、サクションボックスに取付ける電磁石の回路の概念図である。
【符号の説明】
１  ろ過ボックス
２  コンベヤーチエーン
５  ウエッジワイヤー
６  メタルスクリーン
１３  サクションボックス
１７  磁性体
１９  電磁石
２５  ろ材洗浄管
【図１】
0003649379.tif 000002
【図２】
0003649379.tif 000003
【図３】
0003649379.tif 000004
【図４】
0003649379.tif 000005
【図５】
0003649379.tif 000006
【図６】
0003649379.tif 000007